(57)【要約】【課題】ファイルを保持・運搬するための記録媒体を不要とし、印刷対象ファイルの制限をなくす。【解決手段】ユーザ端末１−１〜１−３は、印刷対象ファイルをメールに添付して送信する。印刷管理サーバ５は、上記メールの宛先メールアドレスに基づいて店舗端末６−ｉを特定し、前記メールに添付されている印刷対象ファイルから特定された店舗端末が有するプリンタドライバを用いて印刷命令を生成し、特定された店舗端末６−ｉにインターネット４を介して送信する。店舗端末６−ｉは、印刷管理サーバ５からインターネット４を介して送信されてくる印刷命令を保持し、店舗端末が設置されている店舗に赴いたユーザにより印刷指示があると、印刷命令に基づいて印刷する。【選択図】  図１
2004287975.tif 000002
【特許請求の範囲】
【請求項１】
ユーザ端末からのメールを中継する中継機能を有し、前記メールに添付されている添付ファイルを、前記メールにより指定された店舗端末で印刷するように管理する印刷管理サーバであって、
前記メールの宛先メールアドレスに基づいて店舗端末を特定する店舗端末判別手段と、
前記メールに添付されているファイルに基づいて、前記店舗端末判別手段により特定された店舗端末が有するプリンタドライバを用いて印刷命令を生成する印刷命令生成手段と、
前記印刷命令生成手段により生成された印刷命令を、前記店舗端末判別手段により特定された店舗端末にネットワークを介して送信する送信手段と
を具備することを特徴とする印刷管理サーバ。
【請求項２】
前記メール毎にパスワードを発行するパスワード発行手段を具備し、
前記送信手段は、前記パスワード発行手段によって発行されたパスワードを、前記印刷命令生成手段により生成された印刷命令とともに、前記店舗端末判別手段により特定された店舗端末にネットワークを介して送信することを特徴とする請求項１記載の印刷管理サーバ。
【請求項３】
前記パスワード発行手段によって発行されたパスワードを、前記ユーザ端末で受信可能な形態でネットワークを介して通知するパスワード通知手段を具備することを特徴とする請求項１または２記載の印刷管理サーバ。
【請求項４】
所定の場所に設置された店舗印刷装置であって、
ユーザ端末により印刷依頼されたファイルに対する印刷命令をネットワークを介して受信する受信手段と、
前記受信手段により受信された印刷命令を保持する印刷命令保持手段と、
前記ユーザ端末のユーザにより印刷指示があると、前記印刷命令保持手段に保持された印刷命令に基づいて印刷する印刷手段と
を具備することを特徴とする店舗印刷装置。
【請求項５】
前記印刷手段による印刷に先立って、印刷命令に基づいて印刷プレビュー画面を表示する表示手段を具備することを特徴とする請求項４記載の店舗印刷装置。
【請求項６】
前記印刷命令保持手段は、ネットワークを介して印刷命令とともに送信されてくるパスワードを、印刷命令に対応付けて保持し、
前記印刷命令とともに送信されてくるパスワードと、前記ユーザ端末のユーザにより印刷指示を受け入れる際に入力されるパスワードとに基づいて、印刷すべき印刷命令を特定する印刷命令特定手段を具備することを特徴とする請求項４記載の店舗印刷装置。
【請求項７】
前記表示手段は、前記ユーザ端末のユーザによる印刷指示を受け入れる際に入力されるパスワードに対して、複数の印刷命令が保持されている場合、前記複数の印刷命令が明示された一覧を表示することを特徴とする請求項６記載の店舗印刷装置。
【請求項８】
所定の場所に設置された店舗印刷装置で動作する印刷制御プログラムであって、
ユーザ端末により印刷依頼されたファイルに対する印刷命令をネットワークを介して受信するステップと、
前記受信された印刷命令を保持するステップと、
前記ユーザ端末のユーザにより印刷指示があると、前記保持した印刷命令に基づいて印刷を実行するステップと
をコンピュータに実行させることを特徴とする印刷制御プログラム。
【請求項９】
前記ネットワークを介して印刷命令とともに送信されてくるパスワードを印刷命令に対応付けて保持するステップと、
前記印刷命令とともに送信されてくるパスワードと、前記ユーザ端末のユーザによる印刷指示を受け入れる際に入力されるパスワードとに基づいて、印刷すべき印刷命令を特定するステップと
をコンピュータに実行させることを特徴とする請求項８記載の印刷制御プログラム。
【請求項１０】
印刷対象ファイルを所定の場所に設置されている店舗端末によって印刷するための印刷管理システムにおいて、
印刷対象ファイルをメールに添付して送信するユーザ端末と、
前記ユーザ端末からのメールの宛先メールアドレスに基づいて店舗端末を特定し、前記メールに添付されているファイルから前記特定された店舗端末が有するプリンタドライバを用いて印刷命令を生成し、生成された印刷命令を、前記特定された店舗端末にネットワークを介して送信する印刷管理サーバと、
所定の場所に設置され、前記印刷管理サーバからネットワークを介して送信されてくる印刷命令を保持し、前記ユーザ端末のユーザにより印刷指示があると、前記印刷命令に基づいて印刷する店舗端末と
を具備することを特徴とする印刷管理システム。
【請求項１１】
印刷対象ファイルを所定の場所に設置されている店舗端末によって印刷するための印刷管理方法において、
印刷対象ファイルをメールに添付してユーザ端末から送信し、前記ユーザ端末からのメールの宛先メールアドレスに基づいて店舗端末を特定し、前記特定された店舗端末が有するプリンタドライバを用いて前記メールに添付されている印刷対象ファイルから印刷命令を生成し、前記特定された店舗端末にネットワークを介して前記印刷命令を送信し、前記ネットワークを介して送信されてくる前記印刷命令を保持し、前記ユーザ端末のユーザにより印刷指示があると、前記保持された印刷命令に基づいて印刷することを特徴とする印刷管理方法。
【発明の詳細な説明】
【０００１】
【発明の属する技術分野】
本発明は、コンビニエンス・ストアなどの店舗に設置された店舗端末で文書や画像を印刷するサービスを提供するための印刷管理サーバ、店舗印刷装置、印刷制御プログラム、印刷管理システム、印刷管理方法に関する。
【０００２】
【従来の技術】
従来より、コンビニエンス・ストアなどの店舗にて、画像データなどのファイルを記憶したメモリカードを装着し、メモリカードに記憶されている画像を印刷するプリント機（以下、店舗端末という）が提供されている（例えば、特許文献１参照）。
【０００３】
上記店舗端末では、メモリカードに記憶されているファイルを読み出し、所定のソフトウェアにより印刷に必要な処理を行なった後、搭載されている印刷装置により印刷出力するようになっている。
【０００４】
【特許文献１】
特開２００１−４２４５１号公報
【０００５】
【発明が解決しようとする課題】
しかしながら、従来技術では、印刷するファイルを保存し、店舗に持ち込むためにメモリカード等の何らかの記録媒体が必要となるという問題がある。また、記録媒体には、さまざまな種類があるため、全ての記録媒体に対応させることは非常に難しいという問題がある。さらに、店舗端末にファイルを開くためのアプリケーションが必要となるため、さまざまなファイルに対応することが非常に難しく、店舗端末で処理可能なファイルが制限されるという問題がある。
【０００６】
この発明は上述した事情に鑑みてなされたもので、ファイルを保持・運搬するための記録媒体を不要とし、印刷対象ファイルの制限をなくすことができる印刷管理サーバ、店舗印刷装置、印刷制御プログラム、印刷管理システム、印刷管理方法を提供することを目的とする。
【０００７】
【課題を解決するための手段】
上述した問題点を解決するために、この発明の印刷管理サーバでは、ユーザ端末からのメールを中継する中継機能を有し、前記メールに添付されている添付ファイルを、前記メールにより指定された店舗端末で印刷するように管理する印刷管理サーバであって、前記メールの宛先メールアドレスに基づいて店舗端末を特定する店舗端末判別手段と、前記メールに添付されているファイルに基づいて、前記店舗端末判別手段により特定された店舗端末が有するプリンタドライバを用いて印刷命令を生成する印刷命令生成手段と、前記印刷命令生成手段により生成された印刷命令を、前記店舗端末判別手段により特定された店舗端末にネットワークを介して送信する送信手段とを具備することを特徴とする。
【０００８】
この発明の印刷管理サーバによれば、店舗端末判別手段により、前記メールの宛先メールアドレスに基づいて店舗端末を特定し、印刷命令生成手段により、前記店舗端末判別手段により特定された店舗端末が有するプリンタドライバを用いて前記メールに添付されているファイルから印刷命令を生成し、送信手段により、前記特定された店舗端末にネットワークを介して上記印刷命令を送信する。したがって、ファイルを保持・運搬するための記録媒体を不要とし、印刷対象ファイルの制限をなくすことができる。
【０００９】
また、この発明の印刷管理サーバによれば、前記送信手段により、前記パスワード発行手段によって発行されたパスワードを、前記印刷命令生成手段により生成された印刷命令とともに、前記店舗端末判別手段により特定された店舗端末にネットワークを介して送信するようにしたので、ファイルを保持・運搬するための記録媒体を不要とし、印刷対象ファイルの制限をなくすことができるとともに、パスワードにより印刷命令の漏洩、不正利用を防止することができる。
【００１０】
また、この発明の印刷管理サーバによれば、前記パスワード発行手段によって発行されたパスワードを、パスワード通知手段により、前記ユーザ端末で受信可能な形態でネットワークを介して通知するようにしたので、ファイルを保持・運搬するための記録媒体を不要とし、印刷対象ファイルの制限をなくすことができるとともに、パスワードにより印刷命令の漏洩、不正利用を防止することができる。
【００１１】
また、この発明の店舗印刷装置では、所定の場所に設置された店舗印刷装置であって、ユーザ端末により印刷依頼されたファイルに対する印刷命令をネットワークを介して受信する受信手段と、前記受信手段により受信された印刷命令を保持する印刷命令保持手段と、前記ユーザ端末のユーザにより印刷指示があると、前記印刷命令保持手段に保持された印刷命令に基づいて印刷する印刷手段とを具備することを特徴とする。
【００１２】
この発明の店舗印刷装置によれば、受信手段により、ユーザ端末により印刷依頼されたファイルに対する印刷命令をネットワークを介して受信し、印刷命令保持手段により、受信された印刷命令を保持し、ユーザにより印刷指示があると、印刷手段により、保持されている印刷命令に基づいて印刷する。したがって、ファイルを保持・運搬するための記録媒体を不要とし、印刷対象ファイルの制限をなくすことができる。
【００１３】
また、この発明の店舗印刷装置によれば、前記印刷手段による印刷に先立って、印刷命令に基づいて印刷プレビュー画面を表示手段に表示するようにしたので、ユーザは、所望する印刷対象ファイルを間違いなく印刷することができる。
【００１４】
また、この発明の店舗印刷装置によれば、前記印刷命令保持手段により、ネットワークを介して印刷命令とともに送信されてくるパスワードを、印刷命令に対応付けて保持し、前記印刷命令とともに送信されてくるパスワードと、前記ユーザ端末のユーザにより印刷指示を受け入れる際に入力されるパスワードとに基づいて、印刷命令特定手段により、印刷すべき印刷命令を特定するようにしたので、ファイルを保持・運搬するための記録媒体を不要とし、印刷対象ファイルの制限をなくすことができるとともに、パスワードにより印刷命令の漏洩、不正利用を防止することができる。
【００１５】
また、この発明の店舗印刷装置によれば、前記ユーザ端末のユーザによる印刷指示を受け入れる際に入力されるパスワードに対して、複数の印刷命令が保持されている場合、前記複数の印刷命令が明示された一覧を前記表示手段に表示するようにしたので、ユーザは、所望する印刷対象ファイルを間違いなく印刷することができる。
【００１６】
また、この発明の印刷制御プログラムでは、ユーザ端末により印刷依頼されたファイルに対する印刷命令をネットワークを介して受信するステップと、前記受信された印刷命令を保持するステップと、前記ユーザ端末のユーザにより印刷指示があると、前記保持した印刷命令に基づいて印刷を実行するステップとをコンピュータに実行させることを特徴とする。
【００１７】
この発明の印刷制御プログラムによれば、ユーザ端末により印刷依頼されたファイルに対する印刷命令をネットワークを介して受信し、該受信された印刷命令を保持し、前記ユーザ端末のユーザにより印刷指示があると、前記保持した印刷命令に基づいて印刷を実行する。したがって、ファイルを保持・運搬するための記録媒体を不要とし、印刷対象ファイルの制限をなくすことができる。
【００１８】
また、この発明の印刷制御プログラムによれば、前記ネットワークを介して印刷命令とともに送信されてくるパスワードを印刷命令に対応付けて保持するステップと、前記印刷命令とともに送信されてくるパスワードと、前記ユーザ端末のユーザによる印刷指示を受け入れる際に入力されるパスワードとに基づいて、印刷すべき印刷命令を特定するステップとをコンピュータに実行させるようにしたので、ファイルを保持・運搬するための記録媒体を不要とし、印刷対象ファイルの制限をなくすことができるとともに、パスワードにより印刷命令の漏洩、不正利用を防止することができる。
【００１９】
また、この発明の印刷管理システムでは、印刷対象ファイルを所定の場所に設置されている店舗端末によって印刷するための印刷管理システムにおいて、印刷対象ファイルをメールに添付して送信するユーザ端末と、前記ユーザ端末からのメールの宛先メールアドレスに基づいて店舗端末を特定し、前記メールに添付されているファイルから前記特定された店舗端末が有するプリンタドライバを用いて印刷命令を生成し、生成された印刷命令を、前記特定された店舗端末にネットワークを介して送信する印刷管理サーバと、所定の場所に設置され、前記印刷管理サーバからネットワークを介して送信されてくる印刷命令を保持し、前記ユーザ端末のユーザにより印刷指示があると、前記印刷命令に基づいて印刷する店舗印刷装置とを具備することを特徴とする。
【００２０】
この発明の印刷管理システムによれば、ユーザ端末から印刷対象ファイルをメールに添付して送信し、印刷管理サーバにより、前記ユーザ端末からのメールの宛先メールアドレスに基づいて店舗端末を特定し、前記メールに添付されているファイルから前記特定された店舗端末が有するプリンタドライバを用いて印刷命令を生成し、生成された印刷命令を、前記特定された店舗端末にネットワークを介して送信し、所定の場所に設置された店舗印刷装置により、前記印刷管理サーバからネットワークを介して送信されてくる印刷命令を保持し、前記ユーザ端末のユーザにより印刷指示があると、前記印刷命令に基づいて印刷する。したがって、ファイルを保持・運搬するための記録媒体を不要とし、印刷対象ファイルの制限をなくすことができる。
【００２１】
また、この発明の印刷管理方法では、印刷対象ファイルを所定の場所に設置されている店舗端末によって印刷するための印刷管理方法において、印刷対象ファイルをメールに添付してユーザ端末から送信し、前記ユーザ端末からのメールの宛先メールアドレスに基づいて店舗端末を特定し、前記特定された店舗端末が有するプリンタドライバを用いて前記メールに添付されている印刷対象ファイルから印刷命令を生成し、前記特定された店舗端末にネットワークを介して前記印刷命令を送信し、前記ネットワークを介して送信されてくる前記印刷命令を保持し、前記ユーザ端末のユーザにより印刷指示があると、前記保持された印刷命令に基づいて印刷することを特徴とする。
【００２２】
また、この発明の印刷管理方法によれば、印刷対象ファイルをメールに添付してユーザ端末から送信し、前記ユーザ端末からのメールの宛先メールアドレスに基づいて店舗端末を特定し、前記特定された店舗端末が有するプリンタドライバを用いて前記メールに添付されている印刷対象ファイルから印刷命令を生成し、前記特定された店舗端末にネットワークを介して前記印刷命令を送信し、前記ネットワークを介して送信されてくる前記印刷命令を保持し、前記ユーザ端末のユーザにより印刷指示があると、前記保持された印刷命令に基づいて印刷する。したがって、ファイルを保持・運搬するための記録媒体を不要とし、印刷対象ファイルの制限をなくすことができる。
【００２３】
【発明の実施の形態】
以下、図面を用いて本発明の実施の形態を説明する。
【００２４】
Ａ．実施形態の構成
図１は、本発明の実施形態による印刷管理システムの構成を示すブロック図である。図１において、ユーザ端末１−１，１−２，１−３は、各々、パーソナルコンピュータ（ブック型、スタンドアロン型など）、携帯電話（ＰＨＳを含む）、ＰＤＡなどからなり、画像ファイルや文書ファイルなどを電子メールに添付して送信する機能を有する。
【００２５】
ユーザ端末１−１〜１−３は、インターネット４を介して後述する印刷管理サーバ５にアクセスし、後述する店舗端末６−１〜６−ｎのメールアドレスが記述された宛先リストを閲覧する機能（ブラウザ）を有する。
【００２６】
宛先リストは、図４に示すように、店舗端末６−１〜６−ｎの名称や住所、該店舗端末６−１〜６−ｎに予め割り当てられたメールアドレスなどが記述されており、後述する印刷管理サーバ５によりインターネット４上でＷｅｂページなどにより公開されるようになっている。
【００２７】
ユーザは、どの店舗の店舗端末で印刷したいかを、上記宛先リストから選択し、そのメールアドレス宛に印刷したいファイル（画像ファイル、文書ファイルなど）を添付して印刷依頼メールとして送信する。
【００２８】
印刷管理サーバ５は、ユーザ端末１−１〜１−３からの印刷依頼メールを中継する機能を有する。また、印刷管理サーバ５は、ユーザ端末１−１〜１−３から送信されてくる印刷依頼メールに添付されているファイルを開いて印刷指示を行なうためのアプリケーションソフトウェアを備えている。
【００２９】
印刷管理サーバ５は、印刷依頼メールの宛先メールアドレスを判別することにより、ユーザが指定した店舗端末を特定し、上記アプリケーションで印刷依頼メールに添付されていたファイルを開き、特定した店舗端末のプリンタドライバを用いて印刷命令（印刷コード）を生成する。
【００３０】
また、印刷管理サーバ５は、印刷依頼メールに添付されていたファイルをユーザが指定した店舗端末で印刷できるようにするためのパスワードを発行する。パスワードは、印刷依頼のファイル１つに付き、１つ発行される。すなわち、１つの印刷依頼メールに複数のファイルを添付して印刷依頼することが可能となっており、１つの印刷依頼メールに複数のファイルが添付されている場合には、該複数のファイルに対する印刷依頼に対して、１つのパスワードが発行されることになる。
【００３１】
また、印刷管理サーバ５は、上記印刷命令およびパスワードを、宛先メールアドレスで示される特定した店舗端末６−１〜６−ｎに送信する一方、該パスワードを電子メールに記載して指示受領確認メールとしてユーザ端末１−１〜１−３に送信する。
【００３２】
店舗端末６−１〜６−ｎは、コンビニエンス・ストアなどの店舗や駅などに設置されており、「ｘｘｘ＠ａｂｃ．ｃｏ．ｊｐ」など、１台に付き１つの電子メールアドレスが割り当てられている。店舗端末６−１〜６−ｎは、印刷管理サーバ５からの印刷命令に従って印刷プレビューや、印刷リストなどを表示するための表示装置（図示略）、ユーザによるパスワードや印刷指示を入力するための入力装置（キーボード、タッチパネルなど：図示略）、印刷命令に従って印刷する印刷装置（図示略）、料金投入のための料金投入装置（図示略）を備えている。
【００３３】
店舗端末６−１〜６−ｎは、印刷管理サーバ５から送信される印刷命令およびパスワードを、インターネット４を介して受信し、印刷命令とパスワードとを対応付けて、一定期間（例えば、１週間、１ヶ月など）保持する。なお、上述したように、１つの印刷依頼メールにて複数のファイルに対する印刷依頼があった場合には、該複数のファイルの印刷命令（複数）に対して１つのパスワードを対応付けて保持することになる。
【００３４】
また、店舗端末６−１〜６−ｎは、ユーザがパスワードを入力すると、該パスワードに対応付けて保持していた印刷命令の印刷イメージを表示装置に表示し、印刷装置により印刷して出力する。このとき、パスワードに対して複数の印刷命令が保持されている場合には、複数の印刷命令の一覧を表示し、ユーザにより選択された印刷命令（複数可）を印刷して出力する。
【００３５】
Ｂ．実施形態の動作
次に、本実施形態の動作について詳細に説明する。ここで、図２および図３は、本実施形態による印刷管理方法を説明するためのフローチャートである。
【００３６】
まず、ユーザ端末１−ｉ（ｉ＝１，２，３）において、インターネット４を介して店舗端末６−１〜６−ｎのメールアドレスが記述された宛先リスト（図４）を閲覧し、どこの店舗の店舗端末で印刷したいかを選択し、選択した店舗端末６−ｊ（ｊ＝１，２，…，ｎ）宛の電子メールに、印刷したいファイル（画像ファイル、文書ファイルなど）を添付し（Ｓ１０）、印刷依頼メールとして送信する（Ｓ１２）。
【００３７】
印刷管理サーバ５では、上記印刷依頼メールの宛先メールアドレスを判別することにより、ユーザが指定した店舗端末６−ｊを特定する（Ｓ１４）。次に、上記アプリケーションで印刷依頼メールに添付されていたファイルを開き（Ｓ１６）、特定した店舗端末６−ｊのプリンタドライバを用いて印刷命令（印刷コード）を生成する（Ｓ１８）。次に、印刷依頼メールに添付されていたファイルをユーザが指定した店舗端末６−ｊで印刷できるようにするためのパスワードを発行する（Ｓ２０）。そして、上記印刷命令およびパスワードを特定した店舗端末６−ｊに送信し（Ｓ２２）、パスワードを電子メールに記載してユーザ端末１−ｉに送信する（Ｓ２４）。
【００３８】
ユーザ端末１−ｉでは、上記印刷管理サーバ４からのパスワードが記載された指示受領確認メールを受信する（Ｓ２６）。一方、店舗端末６−ｊにおいても、上記印刷管理サーバ４からの印刷命令とパスワードとを受信し、一定期間保持する（Ｓ２８）。
【００３９】
ユーザは、都合のよいときに指定した店舗端末６−ｊに赴き、店舗端末６−ｊの表示装置に、図５に示すように表示されるパスワード入力画面から、前もって受信していた指示受領確認メールに記載されていたパスワードを入力する。
【００４０】
店舗端末６−ｊでは、ユーザによりパスワードが入力されると、該パスワードに従って保持している印刷命令に対応付けられたパスワードであるか否かを判断し（Ｓ３０）、保持している印刷命令に対応付けられたパスワードでない場合には、エラーとする（Ｓ３２）。一方、印刷命令に対応付けられたパスワードである場合には、印刷命令に従って用紙に印刷する印刷処理を実行する（Ｓ３４）。
【００４１】
上記印刷処理では、まず、パスワードに対して複数の印刷命令が保持されているか否かを判断し（Ｓ４０）、パスワードに対して１つの印刷命令が保持されている場合には、図６に示すように、該当印刷命令のプレビュー画面を表示する（Ｓ４２）。この画面において、「ＯＫ」ボタンがタッチされると、印刷に必要な料金を表示し（Ｓ４４）、料金が投入されると、印刷用紙に印刷する（Ｓ４６）。
【００４２】
一方、入力されたパスワードに対して複数の印刷命令が保持されている場合には、図７に示すように、印刷命令の一覧を表示する（Ｓ４８）。そして、いずれかが選択されたか否かを判断し（Ｓ５０）、一覧の中からいずれかが選択された場合（複数可）には、上述したステップＳ４２へ進み、図６に示すように、選択された印刷命令のプレビュー画面を表示する（Ｓ４２）。この画面において、「ＯＫ」ボタンがタッチされると、印刷に必要な料金を表示し（Ｓ４４）、料金が投入されると、印刷用紙に印刷する（Ｓ４６）。この場合、印刷終了後、「更に印刷ファイルを選択」と「印刷」とのボタンを表示し、「更に印刷ファイルを選択」がタッチされると、再度、印刷命令の一覧表示画面を表示し、印刷処理を継続する。
【００４３】
上述した実施形態によれば、印刷管理サーバ４に添付ファイルを開いて印刷指示を行なうためのアプリケーションソフトウェアをインストールしておき、印刷命令だけを店舗顛末６−１〜６−ｎに送信するようにしたので、各店舗端末にそれぞれ添付ファイルを開くアプリケーションソフトウェアをインストールしなくても済む。したがって、安価なシステム、新しいアプリケーションソフトウェアが必要になっても、印刷管理サーバ４のみにインストールすればよい。また、印刷したいファイルが記憶された記録媒体を店舗まで持って行かなくてもよくなる。さらに、店舗端末がユーザが持っている記録媒体に対応していないなどという問題を解消できる。
【００４４】
なお、上述した実施形態においては、印刷にかかる料金を店舗端末で計算していたが、印刷管理サーバもしくは店舗端末のいずれか一方に備えられていればよい。
【００４５】
また、上述した実施形態において、印刷管理サーバ４の機能、あるいは店舗端末６−１〜６−ｎの機能は、図示しない記憶部に記憶されたプログラムを実行することで実現するようになっている。記憶部は、ハードディスク装置や光磁気ディスク装置、フラッシュメモリ等の不揮発性メモリやＲＡＭ（Ｒａｎｄｏｍ  Ａｃｃｅｓｓ  Ｍｅｍｏｒｙ）のような揮発性のメモリ、あるいはこれらの組み合わせにより構成されるものとする。また、上記記憶部とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含む。
【００４６】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワークや電話回線等の通信回線のように情報を伝送する機能を有する媒体のことをいう。また、上記プログラムは、上述した処理の一部を実現するためのものであってもよい。さらに、上述した処理を印刷管理サーバ４あるいは店舗端末６−１〜６−ｎに既に記録されているプログラムとの組み合わせで実現できるもの、いわゆる差分ファイル（差分プログラム）であってもよい。
【００４７】
以上、この発明の実施形態を図面を参照して詳述してきたが、具体的な構成は、上記実施形態に限られるものではなく、この発明の要旨を逸脱しない範囲の設計等も含まれる。
【図面の簡単な説明】
【図１】本発明の実施形態の構成を示すブロック図である。
【図２】本実施形態の動作を説明するためのフローチャートである。
【図３】本実施形態の動作を説明するためのフローチャートである。
【図４】宛先リストの一例を示す模式図である。
【図５】パスワード入力画面の一例を示す模式図である。
【図６】印刷ファイルのプレビュー画面の一例を示す模式図である。
【図７】ファイル選択画面の一例を示す模式図である。
【符号の説明】
１−１、１−２、１−３  ユーザ端末、４  インターネット、５  印刷管理サーバ、６−１、６−２、６−３、６−ｎ  店舗端末
【図１】
2004287975.tif 000003
【図２】
2004287975.tif 000004
【図３】
2004287975.tif 000005
【図４】
2004287975.tif 000006
【図５】
2004287975.tif 000007
【図６】
2004287975.tif 000008
【図７】
2004287975.tif 000009